(57)【特許請求の範囲】
【請求項１】
第一側面板（１）、正面板（２）、第二側面板（３）、背面板（４）および糊代板（５）が各折線を介して順次連接され、
前記第一側面板（１）および前記第二側面板（３）の上下端には折線（ｅ、ｆ、ｋ、ｌ）を介してフラップ（１ａ、１ｂ、３ａ、３ｂ）が延設され、
前記正面板（２）の上端には折線（ｇ）を介して第一再封片（６）が延設され、前記第一再封片（６）の上端には折線（ｈ）を介して第二再封片（７）が延設され、さらに前記第二再封片（７）の上端には折線（ｉ）を介して上方内蓋（８）が延設され、前記正面板（２）の上部には開封用の切り離し片（９）が設けられ、前記正面板（２）の下端には折線（ｊ）を介して下方内蓋（１０）が延設され、
前記背面板（４）の下端には折線（ｎ）を介して下方外蓋（１２）が延設され、上端には折線（ｍ）を介して上方外蓋（１１）が延設され、
各構成板および構成片の組立状態にて、前記正面板（２）の内側に前記第一再封片（６）および前記第二再封片（７）が重着されてなる再封片（Ｒ）が形成されることを特徴とする包装箱。
【請求項２】
前記第一側面板（１）および前記第二側面板（３）の上端に設けられた前記フラップ（１ａ、３ａ）には、前記正面板（２）側に突出する係止片（１ｃ、３ｃ）が設けられ、
前記第一再封片（６）は、前記正面板（２）と前記係止片（１ｃ、３ｃ）との隙間（Ｓ１）に対応し、前記第二再封片（７）が重着されていない差し込み端縁（６１）を両端に有することを特徴とする請求項１に記載の包装箱。
【請求項３】
前記前記差し込み端縁（６１）の長さ（Ｌ２）が、前記隙間よりも短いことを特徴とする請求項２に記載の包装箱。
【発明の詳細な説明】
【技術分野】
【０００１】
本発明は、食品・医薬品・化粧品等の商品が収容される包装箱に関し、より詳しくは開封後の蓋が繰返し開閉されるのに耐えうる包装箱に関するものである。
【背景技術】
【０００２】
従来から包装箱には収納機能や緩衝機能等の所定の機能を有するものがあり、このような包装箱の製造には、加工が容易で低廉なシート状の厚紙が用いられ、所望の形状の台紙に打ち抜いて組立てることで製造されていた。
【０００３】
例えば、特許文献１に記載の包装箱は、図１１に示すように、包装箱に組立可能な一枚の台紙からなり、折罫線Ｘを介して平行に連接された第一側面板１０１、正面板１０２、第二側面板１０３、背面板１０４および糊付片１０５と、折罫線Ｘを介して背面板１０４の上下端に設けられた外蓋片１０６、１０７と、折罫線Ｘを介して正面板１０２の上下端に設けられた内蓋片１０８、１０９と、折罫線Ｘを介して第一側面板１０１および第二側面板１０３の上下端にそれぞれ設けられたフラップ１１０とを備える。
【０００４】
そして、一方の内蓋片１０８は、折罫線Ｘを介して延設方向に設けられた中蓋片１１１と、中蓋片１１１から折罫線Ｘおよび切込部１１２を介して延設された再封片１１３と、下端部中央に設けられた折線Ｘの一部を一辺として下方に延びる開封部１１４と、下端部の両端かつ正面板１０２との境界に設けられた開封用切込線１１５を有し、さらに開封部１１４と正面板１０２の境界には破断線１１６が設けられている。
【０００５】
そして、組立工程で、中蓋片１１１は、内蓋片１０８との境界に設けられた折罫線Ｘに沿って内側に折り畳まれ、内蓋片１０８に重ねられ貼着される。そして、重着された中蓋片１１１と内蓋片１０８は正面板１０２に対し内側に９０度折り曲げられ、これに外蓋片１０６が重ねられ貼着される。
【０００６】
再封片１１３は、先端角部が円弧状に形成されることで、正面板１０２とフラップ１１０の前端側で形成される隙間に容易に差し込むことができ、切込部１１２にフラップ１１０の係止片１１７が係止され、上蓋を確実に閉じることができるようになっている。
【先行技術文献】
【特許文献】
【０００７】
【特許文献１】特許第５２５９７５４号公報
【発明の概要】
【発明が解決しようとする課題】
【０００８】
しかしながら、特許文献１の包装箱は、正面板とフラップとの隙間に一枚の厚紙からなる再封片を差し込んで再封するものであるため、開閉の際に再封片の端部や角部が正面板やフラップに当接し曲がったり凹んだりしてしまう。このような状態で上蓋を開閉すると再封辺が正面板やフラップに引っ掛かり易くなり、さらにこれを繰り返すことで損傷がより拡大して折れたり破れたりしてしまうという問題が生じていた。
【０００９】
また、このように損傷が拡大してしまった場合には、上蓋の持つ付勢によって再封片が引っ張られて確実に再封できなくなるという問題が生じていた。
【００１０】
本発明ではかかる従来の問題に鑑み、再封片が損傷するのを抑制して包装箱の開閉のし易さを保ち、また、損傷の拡大を抑制することで蓋が浮き上がるのを防止できる包装箱を提供することを目的とする。
【課題を解決するための手段】
【００１１】
本発明の請求項１に記載の包装箱は、第一側面板、正面板、第二側面板、背面板および糊代板が各折線を介して順次連接され、第一側面板および第二側面板の上下端には折線を介してフラップが延設され、前記正面板の上端には折線を介して第一再封片が延設され、第一再封片の上端には折線を介して第二再封片が延設され、さらに第二再封片の上端には折線を介して上方内蓋が延設され、正面板の上部には開封用の切り離し片が設けられ、正面板の下端には折線を介して下方内蓋が延設され、背面板の下端には折線を介して下方外蓋が延設され、上端には折線を介して上方外蓋が延設され、各構成板および構成片の組立状態にて、正面板の内側に第一再封片および第二再封片が重着されてなる再封片が形成されることを特徴とするものである。
【００１２】
また、本発明の請求項２に記載の包装箱は、第一側面板および第二側面板の上端に設けられたフラップには、正面板側に突出する係止片が設けられ、第一再封片は、正面板と係止片との隙間に対応し、第二再封片が重着されていない差し込み端縁を両端に有することを特徴とするものである。
【００１３】
また、本発明の請求項３に記載の包装箱は、前記差し込み端縁の長さが、前記隙間よりも短いことを特徴とするものである。
【発明の効果】
【００１４】
本発明によれば、再封可能な包装箱における開閉のし易さを維持することができ、開閉を繰り返しても蓋が浮き上がるのを防ぐことができる。
【図面の簡単な説明】
【００１５】
【図１】本発明の包装箱の展開した状態を示す表面図である。
【図２】本発明の包装箱の展開した状態を示す裏面図である。
【図３】本発明の包装箱の図２の状態からの組立順序を示す説明図である。
【図４】本発明の包装箱の図３の状態からの組立順序を示す説明図である。
【図５】本発明の包装箱の図４の状態からの組立順序を示す説明図である。
【図６】本発明の包装箱の図５の状態からの組立順序を示す説明図である。
【図７】本発明の包装箱を組立てた状態を示す斜視図である。
【図８】図７中のＡ−Ａ線による本明の包装箱の断面図である。
【図９】本発明の包装箱を開封した状態を示す斜視図である。
【図１０】本発明の包装箱を開封した状態を示す部分正面図である。
【図１１】従来の包装箱の展開した状態を示す裏面図である。
【発明を実施するための形態】
【００１６】
以下、本発明の包装箱を実施するための形態について、図面に基づいて説明する。
【００１７】
本発明に係る包装箱は、周壁と底蓋と上蓋とで構成される角型箱状の包装箱であり、一枚のシートを打ち抜いた台紙から組立てられる。図１には、本発明の包装箱となる台紙の表面図が示されている。
【００１８】
図１に示される台紙は、第一側面板１、正面板２、第二側面板３、背面板４および糊代板５が折線ａ、ｂ、ｃおよびｄを介して横一方向に順次連接されている。この実施形態における第一側面板１と第二側面板３は略同一形状とされ、正面板２と背面板４も略同一形状とされる。
【００１９】
第一側面板１には、上端に折線ｅを介してフラップ１ａが延設され、下端に折線ｆを介してフラップ１ｂが延設される。フラップ１ａは、正面板２側に傾斜部を有する略台形状からなり、傾斜部の下方には正面板２側に突出する係止片１ｃが設けられている。
【００２０】
正面板２には、折線ｇを介して第一再封片６が延設され、この第一再封片６の上端には、折線ｈを介して第二再封片７が延設される。さらに第二再封片７の上端には、折線ｉを介して上方内蓋８が延設される。正面板２と係止片１ｃとの間には、隙間Ｓ１が設けられており、また正面板２の上部中央には、正面板２と第一再封片６との境界の一部を一辺として下方に矩形状に延びる開封用の切り離し片９が設けられている。なお、隙間Ｓ１は、台紙の厚さと略同一幅とし、長さをＬ１としている。
【００２１】
この実施形態では、第一再封片６の延設長さが、後述する上方内蓋８の延設長さの略半分とされ、幅が正面板２の幅と略同じとされる。第二再封片７の延設長さは第一再封片６と略同一とされ、幅は第一再封片６の幅よりも狭くされる。そして、第一再封片６は、後に述べる包装箱の組み立て状態において、正面板２と係止片１ｃとの隙間Ｓ１に対応し、第二再封片７が重着されていない差し込み端縁６１を有する。この差し込み端縁６１の第一再封片６の一方の側端から第二再封片７の同じ側の側端までの幅方向の長さをＬ２とすると、Ｌ２は前記隙間Ｓ１の長さＬ１より短くされるが、略同一であっても、長いものであってもよい。なお、差し込み端縁６１の長さＬ２は、隙間Ｓ１の長さＬ１の約４０〜６０％であるのが望ましい。
【００２２】
上方内蓋８は略台形状であり、下端幅は、第二再封片７の幅より広くされており、正面板２の幅と略同じとされる。また、上方内蓋８の下端部には、両端から内側に向かって略L字状に切込まれる切込部８１が設けられている。切込部８１のそれぞれの切込み深さは、フラップ１ａおよび後述するフラップ３ａに設けられた係止片１ｃ、３ｃよりも長くされており、上方内蓋の下端部の約２５〜３５％とされることが望ましいが、これに限られるものではない。
【００２３】
切り離し片９の周縁部には、正面板２から切り離すための第一開封線２１が設けられ、第一再封片６と正面板２の境界には正面板２から第一再封片６を切り離すための第二開封線２２が設けられている。第一開封線２１の上部両端は、第二開封線２２の内端部と連続してつなげられており、正面板２から上蓋を切り離す切り離し線２０が形成されている。切り離し片９の延設長さは、第一再封片６の延設長さと略同じとされるが、これより短くされてもよい。切り離し片９の幅は、少なくとも指の幅よりも広いものであることが望ましい。また、切り離し片９の幅は正面板２と略同じとしてもよく、この場合、第二開封線２２は設けられなくてもよい。
【００２４】
正面板２の下端には、折線ｊを介して下方内蓋１０が延設される。下方内蓋１０の延設長さは第一側面板１の幅と略同じとされ、幅は、正面板２と略同じとされる。
【００２５】
第二側面板３には、上端に折線ｋを介してフラップ３ａが延設される。フラップ３ａはフラップ１ａと対称形状とされ、正面板２側の傾斜部には正面板２側に突出する係止片３ｃが設けられている。正面板２と係止片３ｃとの間には、前記したのと同様の隙間Ｓ１が設けられている。そして、第一再封片６は、後に述べる包装箱の組み立て状態において、正面板２と係止片３ｃとの隙間Ｓ１に対応し、前記したのと同様の差し込み端縁６１を有する。
【００２６】
第二側面板３の下端には折線ｌを介してフラップ３ｂが延設される。フラップ３ｂはフラップ１ｂと対称形状とされる。
【００２７】
背面板４には、上端に折線ｍを介して上方外蓋１１が延設される。上方外蓋１１の延設長さは第二側面板３の幅と略同じとされ、幅は、背面板４の幅と略同じとされる。背面板４の下端には、折線ｎを介して下方外蓋１２が延設される。下方外蓋１２は、上方外蓋１１と略同一形状とされる。
【００２８】
糊代板５は、折線ｄを下辺とする略台形状に形成される。糊代板５の延設長さは第一側面板の幅の約３０〜４０％とされることが望ましいが、これに限られるものではない。
【００２９】
なお、図１および図２に示すように、糊代板５、第一再封片６、上方内蓋８および下方内蓋１０の表面、ならびに、切り離し片９の裏面の一部は、糊等が塗布される貼着部Ｐとされる。貼着部Ｐは、前記の各構成板の全域に設けられてもよい。
【００３０】
上述のように構成された台紙は、各構成板が各折線に沿って折り曲げられ、各貼着部で貼着され角型箱状に組立てられる。
【００３１】
以下、本発明の包装箱の組立順序について図３〜図７に基づいて説明する。なお、以下の組立順序は一例であり、他の組立方法によるものであってもよい。
【００３２】
まず、図３に示すように、第一再封片６が折線ｇに沿って内側に折り畳まれて、正面板２に第一再封片６、第二再封片７および上方内蓋８が重ねられたのち、第一再封片６がこれに対応する切り離し片９に貼着される。そして、第二再封片７が、図４に示すように、折線ｈに沿って逆に折り返されて、図８に示すように、第一再封片６に重着される。
【００３３】
次に、背面板４が折線ｃに沿って内側に折り畳まれて、第二側面板３および正面板２に背面板４および糊代板５が重ねられる。そして、第一側面板１が折線ａに沿って内側に折り畳まれて、正面板２および糊代板５に第一側面板１が重ねられる。重ねられた第一側面板１と糊代板５は、図５に示すように、互いに貼着される。
【００３４】
次に、図５に示すような扁平状態において左右から力が加えられ、図６に示すような角型筒状の立体が形成される。そして、この状態から、包装箱の下部においてフラップ１ｂ、３ｂが内側に９０度折り曲げられ、この上に下方内蓋１０が内側に９０度折り曲げられて重ねられる。さらに、この上に下方外蓋１２が内側に９０度折り曲げられて下方内蓋１０の貼着部Ｐに貼着され、包装箱の下部が閉鎖される。包装箱の下部が閉鎖されたあとは、商品等の内容物が包装箱の上部から収容される。
【００３５】
次に、包装箱の上部においては、図６に示した状態からフラップ１ａ、３ａが内側に９０度折り曲げられ、この上に上方内蓋８が内側に９０度折り曲げられて重ねられる。このとき、切込部８１と第二再封片７との間には隙間Ｓ２が形成される。さらに、上方外蓋１１が内側に９０度折り曲げられて、上方内蓋８に重ねられ貼着される。そして、包装箱の上部は閉鎖されて図７に示した状態となる。正面板２の上部内側には、図８に示すように、第一再封片６および第二再封片７が重着されてなる再封片Ｒが形成される。
【００３６】
次に、本発明の包装箱の開封および再封について説明する。
【００３７】
まず、本発明の包装箱を開封するには、図７に示した状態において、正面板２の切り離し片９を指で押圧する。そうすると、切り離し片９が第一開封線２１に沿って正面板２から分離される。そして、そのまま押圧した指で切り離し片９を引き上げると、図９に示すように、第一再封片６が正面板２から第二開封線２２に沿って分離され上蓋が開封される。そして、開封された再封片Ｒ上には切り離し片９が残される。
【００３８】
開封された包装箱は、図９に示した状態から上蓋およびフラップ１ａ、３ａが持ち上げられて商品等の内容物が出し入れされる。
【００３９】
また、本発明の包装箱を再封するには、図９に示した状態から正面板２と係止片１ｃ、３ｃとの隙間Ｓ１に再封片Ｒが差し込まれ、係止片１ｃ、３ｃが切込み部８１と再封片Ｒの隙間Ｓ２に係止されて上蓋が再封される。
【００４０】
ここで再封片Ｒは、隙間Ｓ１に差し込まれる際にフラップ１ａ、３ａと当接しても、差し込み端縁６１の長さＬ２が隙間Ｓ１の長さＬ１と略同一か長いものである場合には差し込み端縁６１が隙間Ｓ１にスムーズに差し込まれるが、前記差し込み端縁６１の長さＬ２が隙間Ｓ１の長さＬ１よりも短いものである場合にも、差し込み端縁６１が隙間Ｓ１にスムーズに差し込まれてから、再封片Ｒの重着される部分によって隙間Ｓ１が押し広げられ、その隙間Ｓ１に導かれて差し込まれる。そして、再封片Ｒの第一再封片６の第二再封片７と重着される領域部分では、二重になるため折れにくくなる。このように、再封片Ｒは、強度を保ちつつ差し込む際にも差し込み易くなっている。したがって、開閉が繰り返された場合でも、係止片１ｃ、３ｃおよび再封片Ｒの損傷を防ぐことができ、上蓋の浮き上がりも防ぎ確実に再封することができる。なお、再封片Ｒが、強度を保ちつつ差し込む際にも差し込み易くするには、差し込み端縁６１の長さＬ２を、隙間Ｓ１の長さＬ１の約４０％〜６０％であるのが望ましい。
【００４１】
また、この実施形態においては、差し込み端縁６１の長さＬ２を隙間Ｓ１の長さＬ１よりも短いものとすることにより、再封片Ｒの重着される部分を広くして、補強効果を高めているが、切り離し片９の幅を広くして補強効果を高めてもよい。
【００４２】
さらに、再封片Ｒは、折り畳むことで折線ｈ側が先端となるため、一枚からなる従来の再封片Ｒよりも衝撃に強く損傷の拡大が抑制できる。一方、再封片Ｒの基端部側は、重着されることにより厚みが増すため、確実に係止片１ｃ、３ｃに係止され再封される。
【００４３】
以上、本発明の実施形態について詳述したが、本発明はこの実施形態に限定されるものではなく、その趣旨を逸脱しない範囲での変更が可能である。例えば、正面板２に設けられた切り離し片９は円弧状等の他の形状であってもよい。正面板２から切り離し片９を引き剥がし易くするために、切り離し片９の近傍に指を挿入するための孔を設けてもよい。第一再封片６および第二再封片７の境界に設けられた折線ｈは、折線ｈに沿って正確に折れ曲げられるよう一部を破断させてもよい。また、内容物は、包装箱の上部が閉鎖されたあとに包装箱の下部から収容させてもよい。
【符号の説明】
【００４４】
１  第一側面板
１ａ、１ｂ  フラップ
１ｃ  係止片
２  正面板
３  第二側面板
３ａ、３ｂ  フラップ
３ｃ  係止片
４  背面板
５  糊代板
６  第一再封片
６１  差し込み端縁
７  第二再封片
８  上方内蓋
８１  切込部
９  切り離し片
１０  下方内蓋
１１  上方外蓋
１２  下方外蓋
２０  切り離し線
２１  第一開封線
２２  第二開封線
Ｐ  貼着部
Ｒ  再封片
Ｓ１、Ｓ２  隙間
ａ〜ｎ  折線
【要約】
【課題】再封片が損傷するのを抑制して包装箱の開閉し易さを保ち、損傷の拡大を抑制して蓋が浮き上がるのを防止する。
【解決手段】第一側面板１、正面板２、第二側面板３、背面板４および糊代板５が連接され、第一側面板１および第二側面板３の上下端には折線ｅ、ｆ、ｋ、ｌを介しフラップ１ａ、１ｂ、３ａ、３ｂが延設され、正面板２の上端には折線ｇを介し第一再封片６が延設され、第一再封片６の上端には折線ｈを介し第二再封片７が延設され、第二再封片７の上端には折線ｉを介し上方内蓋８が延設され、正面板２の上部には開封用の切り離し片９が設けられ、正面板２の下端には折線ｊを介し下方内蓋１０が延設され、背面板４の下端には折線ｎを介し下方外蓋１２が延設され、上端には折線ｍを介し上方外蓋１１が延設され、各構成板および構成片の組立状態にて、正面板２の内側に第一再封片６および第二再封片７が重着されてなる再封片が形成される包装箱。
【選択図】図１【図１】
0006015995.tif 000002
【図２】
0006015995.tif 000003
【図３】
0006015995.tif 000004
【図４】
0006015995.tif 000005
【図５】
0006015995.tif 000006
【図６】
0006015995.tif 000007
【図７】
0006015995.tif 000008
【図８】
0006015995.tif 000009
【図９】
0006015995.tif 000010
【図１０】
0006015995.tif 000011
【図１１】
0006015995.tif 000012